(57)【特許請求の範囲】
【請求項１】
ワイヤに吊るされたドアパネルが、鉛直部と水平部を有するガイドレールに沿って移動することによって構造物の開口を開閉するオーバーヘッドドアのための急降下防止装置であって、
ドアパネルに固定される固定部材と、
前記固定部材に第１軸回りに回動可動に取り付けられた第１回動体であって、ガイドレールに係止する係止部材及び該係止部材をガイドレールに係止させる方向に第１回動体の回動を付勢する付勢部材とを有し、前記ワイヤに接続されている前記第１回動体と、
前記固定部材上に、第２軸回りに回動して前記第１回動体に当接可能に設けられた第２回動体とを備え、
前記ドアパネルがガイドレールの鉛直部に位置するときに、前記ワイヤの張力により前記第１回動体が前記付勢部材により付勢された前記方向に回動することが防止され、前記ドアパネルがガイドレールの鉛直部から水平部に移動するときに、前記第２回動体が回動して第１回動体に当接することによって前記第１回動体が前記付勢部材により付勢された前記方向に回動することが防止されることを特徴とする急降下防止装置。
【請求項２】
前記第２軸が前記第１軸よりもガイドレールの水平部側に設けられていることを特徴とする請求項１に記載のオーバーヘッドドアの急降下防止装置。
【請求項３】
前記第２回動体は、第２回動体の重力により回動することを特徴とする請求項１または２に記載のオーバーヘッドドアの急降下防止装置。
【請求項４】
前記第２回動体は、第１回動体が回動する前に回動を開始することを特徴とする請求項１〜３のいずれか一項に記載のオーバーヘッドドアの急降下防止装置。
【請求項５】
前記第１回動体が内部空間を有し、該内部空間内に第２回動体が収容されていることを特徴とする請求項１〜４のいずれか一項に記載のオーバーヘッドドアの急降下防止装置。
【請求項６】
前記ワイヤの一端は前記第１回動体に止着され、前記ワイヤの他端がワイヤを巻き取るドラムに接続され、ドラムと前記第１回動体の止着部と間で、前記ワイヤは他の部材と非接触であることを特徴とする請求項１〜５のいずれか一項に記載のオーバーヘッドドアの急降下防止装置。
【請求項７】
請求項１〜６のいずれか一項に記載の急降下防止装置を備えるオーバーヘッドドア。
【発明の詳細な説明】
【技術分野】
【０００１】
本発明は、オーバーヘッドドアのドアパネルを吊るしているワイヤが何らかの原因で切断した場合にドアパネルの急降下を防止するための急降下防止装置及びそれを備えるオーバーヘッドドアに関する。
【背景技術】
【０００２】
ガレージなどの建築物の開口部を開閉するために設けられ、開口時に上方で回転するかあるいは天井と平行に納まるオーバーヘッドドア（オーバードアとも呼ばれる）が知られている。オーバーヘッドドアは、図９に示すように、複数のドアパネル体１Ａをヒンジ７で屈曲自在に連結したドアパネル１と、ドアパネル１の側部側のヒンジ７に回転可能に取り付けられたローラ４と、床から逆Ｌ字型に延在してローラ４が摺動するガイドレール２と、ドアパネル１の上方に設けられてドアパネル１に止着されたワイヤ３が巻き付けられたドラム５とを主に備える。ドアパネル１を上昇するときに比較的軽い力で引き上げられるように、ドラム５が軸支された揺動軸１２にはトーションスプリング１３が取り付けられている。オーバーヘッドドア１６を開放するには、例えば、電動機構でドラム５を回転させてワイヤ３を引き上げることで、ローラ４がガイドレール２に沿って走行してドアパネル１が上昇し、上方で屈曲して水平に収まる。このようなオーバーヘッドドア１６では、何らかの原因でワイヤ３が切断（破断）するか、その張力が著しく低下した場合、ドアパネル１がガイドレール２に沿って急降下（意図しない降下または落下を含む）する可能性がある。
【０００３】
このようなドアパネルの急降下を防ぐため、特許文献１では、ワイヤの張力を利用したガレージドアのためのブレーキ装置を開示している。このブレーキ装置は、ワイヤと係合するレバーと、レールに当接可能な刃が取り付けられた回転可能なブレーキアームを備える。ブレーキアームはバイアススプリングにより刃がレールに当接する方向にブレーキアームを付勢しているが、正常時にはワイヤの張力がこの付勢力に抗している。ワイヤが切断されると、ワイヤの張力が失われるために、ブレーキアームが付勢力で回転して刃をガイドレールに当接させ、そしてオーバーヘッドドアの急降下を防止する。
【０００４】
ワイヤを巻きとるドラムは図９に示すように、閉鎖状態（鉛直状態）にあるオーバーヘッドドアの上方に位置しており、オーバーヘッドドアの開放に伴ってその配置が鉛直状態から水平状態に変化すると、ワイヤの張力の方向も鉛直方向から水平方向に変化する。それゆえ、特許文献１のブレーキ装置では、オーバーヘッドドアが全開してドアパネルが水平状態になる場合、ワイヤの張力がバイアススプリングの付勢方向と同じ方向にかかることになり、このためブレーキアームが意図せずに揺動または回転することがある。この結果、ブレーキアームの刃がガイドレールの水平部に係止されたままとなり、オーバーヘッドドアが閉鎖できないことになる。すなわち、特許文献1のブレーキ装置では、ワイヤが正常であるにもかかわらず、装置が誤作動してしまうという問題があった。
【先行技術文献】
【特許文献】
【０００５】
【特許文献１】米国特許第７３５０３３３号明細書
【特許文献２】特開平９−３０３０６０号公報
【特許文献３】特開２００６−１５２６８９号公報
【特許文献４】特開２００７−２１１４１１号公報
【発明の概要】
【発明が解決しようとする課題】
【０００６】
特許文献２は、下端のドアパネルの側方に配設されて開口部外側へ向けて揺動自在に支持された刃板と、構造物側に刃板と対向するように固設されるとともに、鉛直方向に所定の間隔で刃板へ向けて凸部を突設した係止部材と、刃板に配設されてワイヤと当接するカラーと、揺動軸を挟んでカラーと対向する刃板に形成されて凸部と係合可能な傾斜部と、この傾斜部が係止部材へ向かうように刃板を付勢するスプリングを備えるオーバーヘッドドアの落下（または急降下）防止装置を開示している。この装置では、係止部材が構造物側に鉛直方向にのみ固設されており、水平状態になったオーバーヘッドドアに対向する位置には存在しないので、特許文献１のような問題は生じない。しかし、前述のように、オーバーヘッドドアの開放に伴ってその配置が鉛直状態から水平状態に変化すると、ワイヤの張力の方向も鉛直方向から水平方向に変化する。それゆえ、ドアパネルが鉛直状態ではワイヤが刃板に配設されているカラーに接触しているのに対して、ドアパネルが水平状態になると、ワイヤはカラーにより折返されることになる。ドアの開閉が長期間に渡って行われた場合、ワイヤの折返しを繰返し行うことになるために、ワイヤに負荷がかかり、ワイヤの寿命を短縮してしまうという別の問題が生じる。また、構造物側に、オーバーヘッドドアとは別の部材としての係止部材を設ける必要が生じる。
【０００７】
特許文献３では、オーバーヘッドドアが全開し、ドアパネルが水平状態になる場合では、ガイドレールに対して係止する係止部材を備える可動体に、さらに軸支された回動部材を有し、回動部材の一端部にワイヤが取付けられ、そのワイヤ張力により回動部材が可動体をガイドレールから開放する方向に回動させ、係止部材の係止を防いでいる。ワイヤが切れた時にのみ、ワイヤ張力が回動部材に作用しなくなり、可動体に設けられた係止部材がガイドレールに係止する。すなわち、ドアパネルの向きに関わらず、ワイヤ張力が維持されている限り、回動部材を介して可動体がガイドレール側に移動しない機構となっている。しかし、この機構は、急降下時の衝撃を受止める可動体、ドアパネルの重量を負担する回動部材から構成され、部材の強度の確保や、部品点数、工程数が増大することにより、製造単価が上昇し、また、装置の小型化が困難である問題がある。特に、ワイヤの一端が回動部材に接続されているために、回動部材が大型化し、耐荷重を高める必要があった。
【０００８】
特許文献４の開閉装置用閉鎖防止装置は、係止部材を備えた可動係合部材と、可動係合部材に着脱不能な状態で係合され、ワイヤの張力方向の変化に伴い回動するように係合された矯正アームによって構成されている。ワイヤの先端部は可動係合部材に止着され、矯正アームに挿通されている。ドアパネル体が地面に対して垂直状態であった場合、矯正アームはその回動が規制されており、ワイヤの張力によって可動係合部材は付勢部材の付勢方向とは反対方向に回動する。ドアパネルが地面に対して水平状態であった場合、ワイヤの張力方向の変化に対応してワイヤが挿通された矯正アームが回動し、可動係合部材は付勢部材の付勢方向とは反対方向に回動する。しかし、この装置は、ドアパネルが垂直状態であった場合、矯正アーム内でワイヤが折返されるために、特許文献２と同様に、オーバーヘッドドアの開閉に伴うワイヤの折返しが繰返し行なわれることでワイヤに負荷がかかり、ワイヤの寿命を短縮してしまう問題がある。
【０００９】
そこで、本発明は、上記従来技術の問題点を解決するとともに、ワイヤの寿命を延ばすとともに、オーバーヘッドドアが全開状態でも水平ガイドレール部に係止することを簡易な機構で防止することができるオーバーヘッドアの急降下を防止する装置を提供することを目的とする。また、本発明はそのような急降下を防止する装置を備えたオーバーヘッドアを提供することを目的とする。
【課題を解決するための手段】
【００１０】
本発明に従えば、ワイヤに吊るされたドアパネルが、鉛直部と水平部を有するガイドレールに沿って移動することによって構造物の開口を開閉するオーバーヘッドドアのための急降下防止装置であって、ドアパネルに固定される固定部材と、前記固定部材に第１軸回りに回動可動に取り付けられた第１回動体であって、ガイドレールに係止する係止部材及び該係止部材をガイドレールに係止させる方向に第１回動体の回動を付勢する付勢部材とを有し、前記ワイヤに接続されている前記第１回動体と、前記固定部材上に、第２軸回りに回動して前記第１回動体に当接可能に設けられた第２回動体とを備え、前記ドアパネルがガイドレールの鉛直部に位置するときに、前記ワイヤの張力により前記第１回動体が前記付勢部材により付勢された前記方向に回動することが防止され、前記ドアパネルがガイドレールの鉛直部から水平部に移動するときに、前記第２回動体が回動して第１回動体に当接することによって前記第１回動体が前記付勢部材により付勢された前記方向に回動することが防止されることを特徴とする急降下防止装置が提供される。
【００１１】
上記本発明の急降下装置によれば、前記ドアパネルがガイドレールの鉛直部から水平部に移動するときに、前記第２回動体が回動して第１回動体に当接することによって前記第１回動体が前記付勢部材により付勢された前記方向に回動することが防止されるので、第１回動体に対する前記ワイヤの張力の方向に関わらず、第１回動体が誤って回動して係止部材がガイドレールに係止されることが防止される。特に、係止部材が取り付けられている関係で比較的剛性の高い第１回動体にワイヤが取り付けられているために、第２回動体は簡易な構造でコンパクトにすることができ、急降下防止装置全体をコンパクトにすることができる。なお、本書において、オーバーヘッドドアの「急降下」とは、オーバーヘッドドアが急に降下することであり、オーバーヘッドドアの意図しない降下または落下をも含む概念である。
【００１２】
本発明の急降下防止装置において、前記第２軸が前記第１軸よりもガイドレールの水平部側に設けられることにより、オーバーヘッドドアが上昇してドアパネルがガイドレールの鉛直部から水平部に移動する際に、第２回動体が第１回動体より先に回動し始める。このため、第１回動体がワイヤの張力方向の変化により回動し始めたとしても、既に第２回動体が回動して第１回動体の回動を抑止する態勢に入っているために、確実に第１回動体の回動を規制することができる。
【００１３】
本発明の急降下防止装置において、前記第２回動体は、第２回動体の重力により回動し得る。こうすることで、ドアパネルがガイドレールの鉛直部から水平部に移動する動作を利用して第２回動体を回動することができる。
【００１４】
前記第１回動体が内部空間を有し、該内部空間内に第２回動体が収容されていてもよい。前述のように、本発明の急降下防止装置では、第２回動体は簡易な構造でよいので、第１回動体に内部空間を設け、そこに第２回動体を収容することで省スペース化が図れ、急降下防止装置を一層コンパクトにすることができる。
【００１５】
前記ワイヤの一端は前記第１回動体に止着され、前記ワイヤの他端がワイヤを巻き取るドラムに接続され、ドラムと前記第１回動体の止着部と間で、前記ワイヤは他の部材と非接触にし得る。前述のように、ワイヤは第１回動体に接続されているので、第２回動体やその他の部材に接触してしない。すなわち、第１回動体とドラムの間にワイヤは常時直線として延びている。それゆえ、ワイヤを長寿命化することができる。
【００１６】
本発明の第２の態様に従えば、本発明の急降下防止装置を備えるオーバーヘッドドアが提供される。
【発明の効果】
【００１７】
本発明の急降下防止装置は、簡易な機構で、オーバーヘッドドアが全開状態でも水平ガイドレール部に係止することを確実に防止することができる。これにより、動作が確実なオーバーヘッドドアを提供することができる。
【図面の簡単な説明】
【００１８】
【図１】本発明に従う急降下防止装置が設けられているオーバーヘッドドアの外観斜視図である。
【図２】本発明に従う急降下防止装置が設けられているオーバーヘッドドアの側面図である。
【図３】本発明に従う急降下防止装置の外観斜視図である。
【図４】図２のIV−IV線断面図である。
【図５】ドアパネルがガイドレールの鉛直部にあるときの急降下防止装置の、図３のV−V線断面からみた説明図である。
【図６】ワイヤが切断したときに作動している急降下防止装置の側面からみた説明図である。
【図７】ドアパネルがガイドレールの曲線部にあるときの急降下防止装置の、図３のV−V線断面からみた説明図である。
【図８】ドアパネルがガイドレールの水平部にあるときの急降下防止装置の作動状態の、図３のV−V線断面からみた側面図である。
【図９】従来技術のオーバーヘッドドアの外観斜視図である。
【発明を実施するための形態】
【００１９】
以下に、本発明の急降下防止装置の構造を図面を用いて説明する。オーバーヘッドドア１６は、図２に示すように、例えば、家屋のガレージや倉庫等の構造体８の内部に設けられて、開口部９を閉鎖する。図１及び図２に示すように、オーバーヘッドドア１６は、複数のドアパネル体１Ａがヒンジ７で屈曲自在に連結されて形成されているドアパネル１と、ドアパネル１の両側端のヒンジ７に回転可能に取り付けられた複数のローラ４と、床から逆Ｌ字型に延在してローラ４が摺動するガイドレール２と、ドアパネル１の下端に設けられた急降下防止装置６に止着されたワイヤ３が巻き付けられたドラム５とを主に備えている。図１中の拡大図は、複数あるローラ４のうちの１つを示しており、急降下防止装置６の側端にも同様にしてローラ４が取り付けられている。
【００２０】
ドラム５を軸支する揺動軸１２にはトーションスプリング１３が設けられており、ワイヤ３をドラム５に巻き付ける方向に付勢している。オーバーヘッドドア１６を開放するには、例えば、図示しない電動機構でシャフト１２を回転させ、それによりドラム５を回転させてワイヤ３をドラム５に巻き上げることで、ローラ４がガイドレール２に沿って鉛直方向に走行してドアパネル１が上昇する。トーションスプリング１３の代わりに、ドアパネル１の総重量分と同重量の錘を揺動軸１２に接続してもよい。
【００２１】
ガイドレール２は、鉛直部２Ｖと曲線部２Ｒと水平部２Ｈから構成され、構造体８に取り付けられているレール支持具１１（図４参照）によって支えられている。ドアパネル１が開放されるときには、ローラ４が鉛直部２Ｖを案内されて上方に走行することによって、構造体８の開口部９を閉鎖している閉鎖位置から鉛直方向にドアパネル１は上昇する。次に、ドアパネル１の最上段の側端に取り付けられているローラ４が曲線部２Ｒに入ると、ドアパネル１は、徐々に屈曲して鉛直方向から水平方向にその姿勢を変化する。全てのローラ４が水平部２Ｈに入ることによって、ドアパネル１は、水平方向に向き、格納位置に収納される。これにより、構造体８は完全に開口される。
【００２２】
急降下防止装置６は、通常、閉鎖位置においてドアパネル１の最下端に配置されているドアパネル体１Ａの下部の両側端に設けられている。図示はしていないが、急降下防止装置６を最下端のドアパネル体１Ａではなく、中間位置のドアパネル体１Ａに設けることも可能である。図３及び図４に示すように、急降下防止装置６は、ドアパネル体１Ａに固定される固定部材６Ａと、第１回転軸（第１軸）６１回りに回動自在に固定部材６Ａに取り付けられる第１回動体６Ｂと、第２回転軸（第２軸）６２回りに回動自在に固定部材６Ａに取り付けられる第２回動体６Ｃとを主に備えている。なお、本実施形態では、第１回転軸６１には、ガイドレールに嵌っているローラ４が回動自在に取り付けられる（図４参照）。
【００２３】
第１回動体６Ｂは、その一端に設けられ且つ第１回転軸６１を軸として図３中の反時計回り方向Ｔに回動してガイドレールに当接（係止）する係止部材６Ｄと、第１回転軸６１に取り付けられてこの係止部材６Ｄをガイドレールに当接する前記方向Ｔに付勢するスプリング（付勢部材）６Ｅと、第１回動体６Ｂの他端にワイヤ３を止着するためのワイヤ止着部６Ｆと、第１回動体６Ｂの一端から第１回転軸６１に向かって突出するストッパ部分６Ｈとが設けられている。それゆえに、第１回転軸６１は、ワイヤ止着部６Ｆと係止部材６Ｄとに挟まれた位置（略中間位置）に設けられている。
【００２４】
図３及び図４に示すように、第１回動体６Ｂは、全体として箱状をしており、内部に空間（内部空間）を有している。第２回動体６Ｃは、第１回動体６Ｂより全体的に小さく且つ第１回動体６Ｂの内側に配置されており、この内部空間に収容されている。このようにすることによって、急降下防止装置全体をコンパクトにすることができる。
【００２５】
スプリング６Ｅは、第１回転軸６１を軸とした反時計回りに、すなわち方向Ｔに、第１回動体６Ｂに力を付勢している。一方で、ドアパネル体１Ａがガイドレールの鉛直部２Ｖにあるときには、ワイヤ止着部６Ｆには、図３の矢印Ａに示すように、鉛直方向上向きにワイヤ３による張力が常に加えられている。ドアパネル１がガイドレール２の鉛直部２Ｖにある限りにおいては、第１回転軸６１は、ワイヤ止着部６Ｆと係止部材６Ｄとにより挟まれた位置に設けられているので、ワイヤ３による張力は、スプリング６Ｅによる反時計回り方向の力に抗して加えられている。そして、ワイヤ３による張力はスプリング６Ｅの付勢力を上回るように設定されているので、第１回動体６ＢがＴ方向に回動することは、ワイヤ３の張力により防止される。
【００２６】
図５に示すように、固定部材６Ａは、第１回動体６Ｂのストッパ部分６Ｈと係合可能な鍵状のストッパ部分６Ｇを有している。それゆえ、ワイヤ３の張力により第１回転軸６１を軸とした時計回りの方向に第１回動体６Ｂが回転しても、所定の回転角で第１回動体６Ｂのストッパ部分６Ｈが固定部材６Ａのストッパ部分６Ｇに係合する。これにより、第１回転軸６１を軸とした時計回り方向への第１回動体６Ｂの回動が規制される。
【００２７】
図６に示すように、ワイヤ３が何らかの原因で切れる、または、ワイヤ３による張力が減少した場合には、第１回動体６Ｂにワイヤ３によりかかる張力が消失する、または、小さくなり、第１回動体６Ｂにかかるスプリング６Ｅによる第１回転軸６１を軸にした反時計回りの付勢力がワイヤ３による張力を上回ると、係止部材６Ｄが第１回転軸６１を軸に反時計回りに回ってガイドレール２に当接する。この結果、ドアパネルの重力による急降下が防止される。
【００２８】
次に、急降下防止装置６の第２回動体６Ｃについて説明する。図５に示すように、第２回動体６Ｃの第２回転軸６２は、固定部材６Ａ上に矢印Ａに示されるドアパネルの上昇方向において第１回転軸６１より上側に配置されている（ガイドレール上流側）。第２回動体６Ｃは、第１端６３の近傍には前述している第２回転軸６２を有し、この第１端６３に対向する第２端６４の近傍には、羽根状の突出部６Ｉが形成されている。第２回転軸６２から第１端６３の間の距離は、第２回転軸６２から第２端６４の間の距離より小さい。すなわち、第２回動体６Ｃは第２回転軸６２に対して回転非対称な構造・形状を有する。このため、羽根状の突出部６Ｉが設けられている第２回転軸６２と第２端６４との間の部分（羽根部）の重量は、第２回転軸６２と第１端との間の部分（基部）の重量との間に相違があり、前者は後者よりはるかに大きい。急降下防止装置６が設けられているドアパネル体１Ａが、ガイドレール２の水平部２Ｈにあるときには、この第２回動体６Ｃの構造に従い、第２回転軸６２を軸として反時計回りに第２回動体６Ｃが重力によって回動して、この突出部６Ｉが突き出る。これにより、後述するように、第１回動体６Ｂの凸状のストッパ部分６Ｈが突出部６Ｉに当接して、第１回転軸６１を軸とした反時計回り方向への第１回動体６Ｂの回転が規制される（図８参照）。
【００２９】
第２回転軸６２は、ドアパネルの上昇方向Ａにおいて第１回転軸６１がある位置より上側に配置されているので、急降下防止装置６が設けられているドアパネル体１Ａが、ガイドレールの曲線部あるいは水平部とにあるときには、第２回転軸６２は、第１回転軸６１よりもガイドレールの水平部側に設けられていることになる。
【００３０】
以下に、本発明の急降下防止装置の第２回動体の作用を図面を用いて説明する。オーバーヘッドドアを開放しようとして、ワイヤ３がドラム５に巻き上げられる（図２参照）。図５に示すように、ワイヤ３の張力によりドアパネル体１Ａが上昇する方向Ａにワイヤ止着部６Ｆに力が加えられる。前述しているように、ワイヤの張力はスプリング６Ｅの付勢力を上回るように設定されており、加えて、第１回動体６Ｂのストッパ部分６Ｈが固定部材６Ａのストッパ部分６Ｇに係合するので、ワイヤ３の張力によって、急降下防止装置に取り付けられているローラ４がガイドレール２に沿って走行して、ドアパネル体１Ａが、鉛直部２Ｖに沿って方向Ａに上昇する。
【００３１】
次に、図７に示すように、ワイヤ３がドラム５に巻き上げられて、急降下防止装置６に取り付けられているローラ４が鉛直部２Ｖから曲線部２Ｒに入る。ドアパネル１が鉛直方向から水平方向に案内されようとしてドアパネル１が曲線部２Ｒに位置するときには、急降下防止装置６の第１回動体６Ｂにかかるワイヤ３の張力の方向は鉛直方向から水平方向に変化しようとしている。これに伴い、スプリング６Ｅの付勢力に抗して第１回動体６Ｂを時計回り方向に回動させる力が減少する。これにより、第１回転軸６１を軸として反時計回りに第１回動体６Ｂが回転し始める。
【００３２】
一方、急降下防止装置が設けられているドアパネル体１Ａの上端が曲線部２Ｒに侵入し始めると、第２回動体６Ｃも、第２回転軸６２を中心として反時計回りに回転し始める。本実施形態においては、第２回転軸６２は、ドアパネルが移動する方向において第１回転軸６１がある位置より上流に配置されている、すなわち、第２回転軸６２は、第１回転軸６１よりもガイドレールの水平部側に設けられているので、第２回動体６Ｃは、第１回動体６Ｂよりも早く重力によって反時計回りに回転することになる。それゆえに、第２回動体６Ｃの突出部分６Ｉが、第１回転軸６１を軸として反時計回りに回転する第１回動体６Ｂのストッパ部分６Ｈの軌道上に移動する。
【００３３】
さらに、図８に示すように、ワイヤ３がドラム５に更に巻き上げられて、急降下防止装置６に取り付けられているローラ４が曲線部から水平部２Ｈに入る。ドアパネル１が水平部２Ｈに位置するときには、急降下防止装置６の第１回動体６Ｂにワイヤ３によりかかる張力の方向は、水平方向となる。ワイヤ３による張力とスプリングにより付勢されている力によって、第１回転軸６１を軸として反時計回りに第１回動体６Ｂが回転する。一方で、第１回動体６Ｂのストッパ部分６Ｈが、係止部材の軌道上に既に現れている第２回動体６Ｃの突出部分６Ｉに当接する。このようにして、ドアパネルが水平部２Ｈにあるときであっても、第１回動体６Ｂの係止部材がガイドレールの水平部２Ｈに当接することが防がれる。すなわち、少なくとも、ドアパネルがガイドレールの水平部２Ｈに位置するときには、第２回動体６Ｃが回動して第１回動体６Ｂに当接することによって、第１回動体６Ｂがスプリング（付勢部材）により付勢された方向に回動することが防止されている。こうして、急降下防止装置が意図しない状態、特に、ドアパネルが水平部２Ｈを移動するときに、急降下防止装置が作動することは有効に防止される。
【００３４】
図７では、第１回動体６Ｂのストッパ部分６Ｈが第２回動体６Ｃの突出部分６Ｉに当接することが示されていない。しかしながら、急降下防止装置６に取り付けられているローラ４が曲線部２Ｒを進むにつれて、第１回動体６Ｂの係止部材が曲線部２Ｒに向かうように、第１回動体６Ｂが回動し始める。一方、このローラ４が曲線部２Ｒを移動している間には、突出部分６Ｉがストッパ部分６Ｈの軌道上に移動するので、第１回動体６Ｂの回動によって、ストッパ部分６Ｈは、第２回動体６Ｃの突出部分６Ｉに当接することになる。このため、ドアパネルがガイドレールの鉛直部から水平部に移動するとき、すなわち、急急降下防止装置が設けられているドアパネル１Ａの一部が曲線部２Ｒに位置するときであっても、第２回動体６Ｃが回動して第１回動体６Ｂに当接することによって、第１回動体６Ｂがスプリング（付勢部材）により付勢された方向に回動することが防止される。
【００３５】
本実施形態では、スプリングによって、係止部材をガイドレールに係止させる方向に第１回動体の回動を付勢している。しかし、この実施形態に限られず、第１回動体の回動を付勢するものであれば、他の付勢部材を用いてもよい。
【００３６】
本実施形態では、第１回転軸６１には、ガイドレールに嵌っているローラ４が回動自在に取り付けられる（図４参照）。しかし、この実施形態に限られず、ローラ４の車軸と第１回転軸６１とを共通させずに、急降下防止装置の別の位置に取り付けてもよい。
【００３７】
係止部材は、ガイドレールに当接する構造であれば、素材、硬度、形状は問わない。ガイドレールよりも硬度が高い金属製とし、ガイドレールに係止する先端を鋭利状に加工することによって、急降下防止装置作動時では係止部材をガイドレールに食い込ませて、急降下防止装置の急降下を減速するようにしてもよい。あるいは、係止部材のガイドレールに当接する当接部分をゴムのような弾性材料として、その当接部分とガイドレールとの摩擦力で、急降下防止装置を減速するようにしてもよい。また、ガイドレールの材質は問わない。
【００３８】
ドアパネルがガイドレールに案内される場合であっても、ドラムと第１回動体の止着部との間で、ワイヤに直接に接触する部材が存在しない。すなわち、ワイヤは他の部材と非接触であるので、従来技術の急降下防止装置または落下防止装置に比べて、ワイヤの表面が摩擦される機会が抑えられる。このため、ワイヤの寿命が延びる。
【００３９】
本実施形態では、第２回動体６Ｃの第２回転軸６２は第１回動体６Ｂの第１回転軸６１よりも急降下防止装置６Ａの移動方向において上流に配置されている（図５参照）。しかし、この実施形態に限らず、第１回動体６Ｂの回転を規制する事が可能な位置であれば、第２回転軸６２の位置は問わない。第２回転軸６２を、急降下防止装置の移動方向において下流に設置しても構わないし、固定部材６Ａに設けず、新たな部材を追加して回転軸を任意の場所に追加してもよい。
【００４０】
本実施形態では、第２回動体６Ｃが重力により回動するようにしている。しかし、この実施形態に限られず、電子制御などの機構によって、第２回動体６Ｃの回動を制御してもよい。
【産業上の利用可能性】
【００４１】
本発明の急降下防止装置及びそれを備えるオーバーヘッドドアは、オーバーヘッドドアのワイヤが切断された場合に、オーバーヘッドドアの自然急降下または降下を減速または防止するとともに、ワイヤ張力の変化による急降下防止装置の誤作動を防止することができる。
【符号の説明】
【００４２】
１      ドアパネル
１Ａ    ドアパネル体
２      ガイドレール
２Ｖ    鉛直部
２Ｒ    曲線部
２Ｈ    水平部
３      ワイヤ
４      ローラ
５      ドラム
６      急降下防止装置
６Ａ    固定部材
６Ｂ    第１回動体
６Ｃ    第２回動体
６Ｄ    係止部材
６Ｅ    スプリング（付勢部材）
１６    オーバーヘッドドア
６１    第１回転軸（第１軸）
６２    第２回転軸（第２軸）
６３    第１端
６４    第２端
【図１】
0005478402.tif 000002
【図２】
0005478402.tif 000003
【図３】
0005478402.tif 000004
【図４】
0005478402.tif 000005
【図５】
0005478402.tif 000006
【図６】
0005478402.tif 000007
【図７】
0005478402.tif 000008
【図８】
0005478402.tif 000009
【図９】
0005478402.tif 000010